(57)【要約】【課題】集合住宅の居住者が、共同玄関等のオートロック扉を解錠するための被認証装置として、自分のスマートフォンを簡単に登録し利用できるようにする。【解決手段】住戸機１１から機器登録許可信号を受信すると、スマートフォン３の登録予約情報Ｍを発行して共同玄関機１２に表示させる登録予約情報発行部と、その登録予約情報に基づいた登録要求信号を、アンテナ装置４ａを介して受け付けて、その送信元のスマートフォンの識別情報を登録する機器登録部４ｃと、スマートフォンの識別情報を、アンテナ装置４ａを介して受け付けて、機器登録部４ｃに登録されている識別情報と対照し、両者が一致していれば、オートロック扉２の解錠信号を出力する無線認証部４ｄとを備える。【選択図】図１
2015074938.tif 000002
【特許請求の範囲】
【請求項１】
各住戸に設置された住戸機の所定操作によって、住棟入口のオートロック扉を解錠させる機能を有した集合用インターホン装置において、
前記住戸機から機器登録許可信号を受信すると、スマートフォンの登録予約情報を発行して共同玄関機に表示させる登録予約情報発行部と、
前記オートロック扉に接近してきたスマートフォンに自動接続するアンテナ装置と、
前記登録予約情報に基づいた登録要求信号を、前記アンテナ装置を介して受け付けて、その送信元のスマートフォンの識別情報を登録する機器登録部と、
スマートフォンの識別情報を、前記アンテナ装置を介して受け付けて、前記機器登録部に登録されている識別情報と対照し、両者が一致していれば、前記オートロック扉の解錠信号を出力する無線認証部とを備えた、集合用インターホン装置。
【請求項２】
請求項１において、
前記登録予約情報は、機器登録をするまでの有効期限が設定されていることを特徴とする集合用インターホン装置。
【請求項３】
請求項１又は２において、
前記登録予約情報は、二次元コードであって、前記機器登録部のアドレス情報を含んでいることを特徴とする集合用インターホン装置。
【請求項４】
親システムから機器登録許可信号を受信すると、スマートフォンの登録予約情報を発行する登録予約情報発行部と、
所定圏内に入ってきたスマートフォンに自動接続するアンテナ装置と、
前記登録予約情報に基づいた登録要求信号を、前記アンテナ装置を介して受け付けて、その送信元のスマートフォンの識別情報を登録する機器登録部と、
スマートフォンの識別情報を、前記アンテナ装置を介して受け付けて、前記機器登録部に登録されている識別情報と対照し、両者が一致していれば解錠信号を出力する無線認証部とを備えた、オートロック扉用の無線認証装置。
【請求項５】
請求項１において、
前記登録予約情報は、機器登録をするまでの有効期限が設定されていることを特徴とする、オートロック扉用の無線認証装置。
【請求項６】
請求項４又は５において、
前記登録予約情報は、二次元コードであって、前記機器登録部のアドレス情報を含んでいることを特徴とする、オートロック扉用の無線認証装置。
【発明の詳細な説明】
【技術分野】
【０００１】
本発明は、各住戸に設置された住戸機の所定操作によって、住棟入口のオートロック扉を解錠させる機能を有した集合用インターホン装置、及びオートロック扉用の無線認証装置に関する。
【背景技術】
【０００２】
従来、セキュリティマンション等、共同玄関にオートロック扉が設けられた集合住宅では、訪問者が共同玄関機から住戸機を呼び出し、居住者が通話や映像によってその訪問者を確認してから解錠操作することによって、オートロック扉が解錠されるものが多い。また帰宅した居住者が自らオートロック扉を解錠させるときには共同玄関機で暗証番号やカードキーによる認証操作をする必要がある。
【０００３】
しかしながら集合住宅のセキュリティを更に向上させために、共同玄関から住戸に至る経路にオートロック扉が何重にも設けられている場合は、その扉の各々に対して同様の解錠操作、認証操作が必要であり煩わしいものになっていた。
【０００４】
そのような煩わしさに対処した従来技術の例として、例えば次の特許文献１が挙げられる。この文献には、オートロックシステムにおいて、解錠対象物の近傍にアンテナを設け、そのアンテナが受信した電波中に含まれる携帯電話機の識別子を抽出して解錠用データベースに登録されている識別子と対照し、解錠信号を送出することが記載されている。そしてシステムの解錠制御装置は、ドアの解錠を許可するユーザの携帯電話番号を登録、変更、削除する機能を備えるものと説明されている。
【先行技術文献】
【特許文献】
【０００５】
【特許文献１】特開2006-28736号公報
【発明の概要】
【発明が解決しようとする課題】
【０００６】
しかしながら、特許文献１には、携帯電話番号を解錠制御装置に登録する際の具体的な手続や手順に関する説明はなく、ユーザ自身が携帯電話番号を解錠制御装置に登録するのは難しいものと考えられる。
【０００７】
そこで本発明は、集合住宅の居住者が、共同玄関等のオートロック扉を解錠するための被認証装置として、自分のスマートフォンを簡単に登録、利用できるようにした集合用インターホン装置及び無線認証装置を提供することを目的とする。
【課題を解決するための手段】
【０００８】
前記目的を達成するため、本発明による集合用インターホン装置は、各住戸に設置された住戸機の所定操作によって、住棟入口のオートロック扉を解錠させる機能を有した集合用インターホン装置において、前記住戸機から機器登録許可信号を受信すると、スマートフォンの登録予約情報を発行して共同玄関機に表示させる登録予約情報発行部と、前記オートロック扉に接近してきたスマートフォンに自動接続するアンテナ装置と、前記登録予約情報に基づいた登録要求信号を、前記アンテナ装置を介して受け付けて、その送信元のスマートフォンの識別情報を登録する機器登録部と、スマートフォンの識別情報を、前記アンテナ装置を介して受け付けて、前記機器登録部に登録されている識別情報と対照し、両者が一致していれば、前記オートロック扉の解錠信号を出力する無線認証部とを備える。
【０００９】
また本発明による無線認証装置は、親システムから機器登録許可信号を受信すると、スマートフォンの登録予約情報を発行する登録予約情報発行部と、所定圏内に入ってきたスマートフォンに自動接続するアンテナ装置と、前記登録予約情報に基づいた登録要求信号を、前記アンテナ装置を介して受け付けて、その送信元のスマートフォンの識別情報を登録する機器登録部と、スマートフォンの識別情報を、前記アンテナ装置を介して受け付けて、前記機器登録部に登録されている識別情報と対照し、両者が一致していれば解錠信号を出力する無線認証部とを備える。
【００１０】
前記登録予約情報は、機器登録をするまでの有効期限が設定されていてもよい。
【００１１】
前記登録予約情報は、二次元コードであって、前記機器登録部のアドレス情報を含んでいてもよい。
【発明の効果】
【００１２】
本発明では、住戸機での機器登録許可操作に基づいて、スマートフォンの登録予約情報が発行され共同玄関機に表示される構成としている。よって居住者は、スマートフォンでその情報を撮影して、そのスマートフォンを、オートロック扉を解錠するための被認証装置として機器登録部に簡単に登録して利用できる。
【図面の簡単な説明】
【００１３】
【図１】本発明の実施形態として例示する集合用インターホン装置のシステム構成図である。
【図２】機器登録許可操作の受付画面を表示している住戸機の例である。
【図３】登録予約情報を表示している共同玄関機の例である。
【図４】住戸機の本発明に係る基本動作の一例を示すフローチャートである。
【図５】録予約情報発行部、機器登録部、及び無線認証部（無線認証装置）の本発明に係る基本動作の一例を示すフローチャートである。
【発明を実施するための形態】
【００１４】
図１は、本発明の実施形態として例示する集合用インターホン装置のシステム構成を示している。
【００１５】
本発明は、セキュリティを重視した集合住宅を想定しており、その住棟には不審者の侵入を防止するため、共同玄関に加えて、エレベータ、駐車場、各住戸フロア等、住棟入口やその他共用通路等にオートロック扉２がそれぞれ設置されている。オートロック扉は、電気錠によるものでも、自動ドアによるものでもよい。
【００１６】
インターホン装置１０は、各住戸に設置される住戸機１１と、共同玄関に設置される共同玄関機１２と、住戸機１１と共同玄関機１２との間での呼出通話を制御するシステム制御装置１３と、オートロック扉２の各々を制御するオートロック制御装置１４とで構成されている。
【００１７】
また共同玄関機１２では暗証番号入力あるいはカードキー等の操作によって共同玄関のオートロック扉２を解錠さえることも可能である。なお図では省略されているが、エレベータ、駐車場。各住所フロア等に設置されているオートロック扉２の近傍にも共同玄関機１２と同様の操作装置（図示なし）が設けられている。
【００１８】
インターホン装置１０の基本動作は従来のものと同様である。すなわち共同玄関機１２で住戸番号を指定した呼出操作がなされると、対応した住戸に設置されている住戸機１１が呼び出される。呼び出された住戸機１１は呼出音を鳴動させるとともに、住戸機１１のモニタ画面には、共同玄関機１２のカメラが撮影している訪問者の映像が映される。住戸機１１で応答操作がなされると、共同玄関機１２と住戸機１１との間で通話路が形成され、更に住戸機１１で解錠操作がなされると、共同玄関のオートロック扉２が解錠される。前記操作装置についても同様である。すなわちインターホン装置１０は、住戸機１１での解錠操作によって、各所のオートロック扉２を解錠させる機能を有する。
【００１９】
また共同玄関機１２で、暗証番号の入力等の認証操作がなされると、システム制御装置１３は、その番号が暗証番号の一つとして予め登録されているか否かを判断する。その番号が登録されて入れば、共同玄関のオートロック扉２が解錠されるが、登録されていなければ、共同玄関機１２の表示部にエラーメッセージが表示され共同玄関のオートロック扉２は解錠されない。
【００２０】
しかしながらそのような基本動作のみでは、居住者が留守にしていた住戸に帰宅するとき、特に手荷物が多い場合とき等、オートロック扉２毎に認証操作を求められて非常に煩わしいという問題が生じる。
【００２１】
本発明は、そのような煩わしさの解消を意図したものであって、その趣旨は、居住者が一般的なスマートフォン３を被認証端末として自由に機器登録し、オートロック扉２の解錠の際には、システムがそのスマートフォン３を自動的に認証することにある。
【００２２】
そのための構成として、インターホン装置１０は、スマートフォン３と通信するアンテナ装置４ａと、スマートフォン３を機器登録するための登録予約情報発行部４ｂ、機器登録部４ｃと、スマートフォン３を認証する無線認証部４ｄとを備える。
【００２３】
アンテナ装置４ａは、その装置の近傍の所定圏内にＷｉＦｉ等による無線ＬＡＮスポットを形成するアクセスポイントであって、オートロック扉２毎に設けられ、ハブ４ｅを介して、機器登録部４ｃ及び無線認証部４ｄに接続されている。アンテナ装置４ａは、オートロック扉２に接近してきたスマートフォン３に自動接続するが、オートロック扉２の近傍（数メートル程度）のスマートフォン３とのみ無線通信可能となるように、その電波の出力又は受信感度が予め設定される。これにより、オートロック扉２の予期しない解錠等の誤動作が防止される。
【００２４】
なお近時のスマートフォン３は、通常、携帯電話会社のネットワークを介して通話やデータ通信するだけでなく、無線ＬＡＮスポットを検出し自動的に接続してデータ通信するモードが選択できるようになっている。本発明では、スマートフォン３をアンテナ装置４ａに自動的に接続させるため、そのモードを設定しておく。
【００２５】
登録予約情報発行部４ｂは、親システムから、この場合は住戸機１１からシステム制御装置１３を介して機器登録許可信号を受信すると、スマートフォン３の登録予約情報を発行して共同玄関機１２に表示させる機能ブロックである。
【００２６】
登録予約情報は、スマートフォン３に内蔵されているカメラによってそれを撮影することによって利用可能となる一種の認証情報である。例えば、登録予約情報は、一次元又は二次元コードとして、その中に機器登録部４ｃをアクセスするために必ず必要とされる情報を含める。一次元又は二次元コードは、近時、それらを解読するプログラムがスマートフォン３に標準的に組み込まれているので、利用が容易である。
【００２７】
登録予約情報は、具体的には、機器登録部４ｃが提供する機器登録用サービスページをアクセスするためのアドレス情報（ＵＲＬ）を含んでもよい。このときアドレス情報は、アンテナ装置４ａによって形成される無線ＬＡＮスポット内での機器登録部４ｃを示すローカルＩＰアドレスとしてもよい。あるいは登録予約情報は、機器登録用サービスページをアクセスするためのパスワードを含んでもよい。
【００２８】
また登録予約情報は、機器登録が許可される有効期限を設定しておくとよい。この有効期限は、登録予約情報発行部４ｂが登録予約情報を発行する際に、その登録予約情報に組み付けて機器登録部４ｃに自動的に通知してもよい。あるいは登録予約情報の中に有効期限の情報を組み込んでもよい。例えば機器登録用サービスページを示すＵＲＬの末尾に「？」付のパラメータとして、有効期限の情報を付記してもよい。このようにして登録予約情報に有効期限を設定しておけば、時間が経った後の不正な機器登録が防止され安全性が向上する。
【００２９】
機器登録部４ｃは、前記登録予約情報に基づいた登録要求信号を、アンテナ装置４ａを介して受け付けて、その送信元のスマートフォン３の識別情報を登録する機能ブロックである。具体的には、ウェブサーバとして構成し、登録予約情報に基づいてアクセスされる機器登録用サービス画面内でスマートフォン３の機器登録ができるようにしてもよい。登録された識別情報は、図示しない記憶部に記録される。なお識別情報の登録では、例えば機器登録許可操作を起点とした所定の有効期限が自動的に設定されるようにして、安全性を更に向上させてもよい。
【００３０】
スマートフォン３の識別情報は、機器毎に異なる情報であればその種別は特に制限されない。例えばＭＡＣアドレスあるいは携帯電話番号が適している。特に前者は、スマートフォン３がアンテナ装置４ａの無線ＬＡＮスポットに収容される際に標準的に取得できる情報であるから、特別な処理を要さずに利用できる。
【００３１】
無線認証部４ｄは、スマートフォン３の識別情報を、アンテナ装置４ａを介して受け付けて、機器登録部４ｃに登録されている識別情報と対照し、両者が一致していれば、オートロック扉２の解錠信号を出力する機能ブロックである。無線認証部４ｄは、アンテナ装置４ａから、スマートフォン３の識別情報を取得して、機器登録部４ｃに登録されている識別情報と対照する。無線認証部４ｄが出力する解錠信号はオートロック扉２に対応付けられており、システム制御装置１３は、その解錠信号を受けると対応したオートロック扉２を解錠させるための信号をオートロック制御装置１４に送信する。
【００３２】
前記のようなアンテナ装置４ａ、登録予約情報発行部４ｂ、機器登録部４ｃ及び無線認証部４ｄは、基本的な集合用インターホン装置１０に後日取り付け可能なオプションの無線認証装置４として構成してもよい。
【００３３】
このときアンテナ装置４ａは、所定圏内（数メートル程度）に入ってきたスマートフォン３に自動接続する構成とされる。登録予約情報発行部４ｂ、機器登録部４ｃ及び無線認証部４ｄは、図示のように１台のサーバ装置に統合して構成してもよい。サーバ装置は、更に、スマートフォン３にＩＰアドレスを自動的に割り当てるＤＨＣＰサーバ部等（図示なし）を備え、そのＩＰアドレスの割当処理の際にスマートフォン３のＭＡＣアドレスを取得して機器登録や認証処理に用いるようにしてもよい。
【００３４】
スマートフォン３を機器登録部４ｃに登録するための作業手続は次のようになる。すなわち居住者は機器登録したいスマートフォン３を所持して共同玄関機１２から住戸機１１を呼び出す。するとその住戸機１１は共同玄関機１２の前にいる居住者の映像を表示するので、居住者の家族の者がその映像を確認して機器登録許可操作をすればよい。
【００３５】
図２は、そのような機器登録許可操作の受付画面を表示している住戸機の例である。
【００３６】
住戸機１１はセキュリティ機能を有した住宅情報盤として構成されている。住戸機１１の筐体正面には、モニタ画面１１ａや操作スイッチ１１ｂが配置されている。すなわち、筐体正面の上辺部にマイク孔１１ｃと、「警報音停止」、「火災確認」、「非常」等の操作スイッチ１１ｂが設けられ、その下に液晶パネル等で構成されたモニタ画面１１ａが設けられている。更にその下には、複数のファンクションスイッチ１１ｃが設けられ、更にその下に、スピーカ用の通音孔部１１ｄと、「通話」スイッチ１１ｅが設けられている。マイク孔１１ｃの背面にはマイクが設けられ、通音孔部１１ｄの背面にはスピーカが設けられている（いずれも図示なし）。
【００３７】
図示のように、機器登録許可操作の受付画面では、共同玄関機１２の前にいる居住者の映像が映されている。そしてその映像に重ね合わせて、ファンクションキー１１ｃに割り当てられている機能、すなわち「ロビー解錠」、「ドア解錠」、「スマートフォン登録」等が表示されている。ここで「スマートフォン登録」に対応したファンクションキー１１ｆを操作すれば、機器登録許可信号が登録予約情報発行部４ｂに送信され、その結果、共同玄関機１２に登録予約情報が表示される。この画面でのファンクションキー１１ｆに対する機能の割当は一例である。もしもオートロック扉２が住棟のエレベータ、駐車場等にも設けられているのであれば、ファンクションキー１１ｆの個数を増して対応するか、ファンクションキー１１ｆに割り当てる機能を切り換えることで対応すればよい。
【００３８】
図３は、住戸機における機器登録許可操作に応じて、登録予約情報を表示している共同玄関機の例である。
【００３９】
共同玄関機１２の筐体正面には、表示部１２ａやテンキー１２ｂが配置されている。すなわち、筐体正面の上辺部に、マイク孔１２ｃと、人感センサ１２ｄと、カメラ１２ｅと、スピーカ用の通音孔１２ｆが設けられ、その下に液晶パネル等で構成された表示部１２ａが設けられ、更にその下に、テンキー１２ｂが設けられている。
【００４０】
表示部１２ａは通常、通常操作ガイドや部屋番号等を表示するが、住戸機１１でスマートフォンの機器登録許可操作がなされたときには、図示のように、登録予約情報Ｍが表示される。
【００４１】
居住者は、その登録予約情報Ｍをスマートフォン３の内蔵カメラ３ａで撮影し、基本的にはその場で、その登録予約情報Ｍに含まれているアドレス情報により、機器登録部４ｃが提供する機器登録用サービス画面をアクセスする。このときスマートフォン３から送信される信号が機器登録要求信号となる。機器登録部４ｃはそのアクセスを受けてＣＧＩプログラム等を起動させ、そのスマートフォン３の識別情報を取得する等して記憶部に登録する。なお機器登録用サービス画面の内容は、例えば「スマートフォンを共同玄関扉の解錠用機器として登録しました」等のメッセージを表示する簡単なものでもよい（図示なし）。
【００４２】
こうしてスマートフォン３の識別情報が機器登録部４ｃに一旦登録された後は、そのスマートフォン３を所持した者がオートロック扉２の前に立つだけで、そのスマートフォン３が無線認証部４ｄによって認証され、そのオートロック扉２が自動的に解錠される。
【００４３】
ここでは共同玄関のオートロック扉２を例としてスマートフォン３の機器登録を説明したが、他のオートロック扉２についても同様である。
【００４４】
このように本発明では、住戸機での機器登録許可操作に基づいて、スマートフォンの登録予約情報が発行され共同玄関機に表示する構成としている。よって居住者は、スマートフォンでその情報を撮影して、そのスマートフォンを、オートロック扉を解錠するための被認証装置として機器登録部に簡単に登録し利用できる。また本発明は携帯電話会社のシステムに依存していないので、運用コストも抑えられる。
【００４５】
次いで、住戸機１１、登録予約情報発行部４ｂ、機器登録部４ｃ及び無線認証部４ｄの本発明にかける基本動作をフローチャートに従って説明する。
【００４６】
図４は、住戸機の基本動作の一例を示すフローチャートである。
【００４７】
ここにステップ１００は、共同玄関機１２からの呼出信号を受信する処理である。この処理は呼出信号を受信するまで繰り返し実行される。
【００４８】
ステップ１０１は住戸機１１での訪問者対応を時間制限するために計時を開始する処理、ステップ１０２は住戸機１１のモニタ画面に、共同玄関機１２のカメラが撮影している訪問者の映像を表示させる処理である。
【００４９】
ステップ１０３は、住戸機１１での応答操作を受け付ける処理、ステップ１０４は、ステップ１０１で開始された計時によって所定時間が経過したか否かを判断する処理である。所定時間内に応答操作がなされた場合は、ステップ１０５に分岐するが、応答操作がなされなければ、住戸機１１での処理は終了される。なお応答処理がなされた場合、それ以降、共同玄関機１２と住戸機１１との間での通話が許可される。
【００５０】
ステップ１０５は共同玄関のオートロック扉２に対する解錠操作を受け付ける処理、ステップ１０６は解錠操作がなされた場合に解錠信号を送信する処理である。解錠操作がなされなければ、ステップ１０６は実行されずにステップ１０７に分岐する。
【００５１】
ステップ１０７はスマートフォン３の機器登録許可操作を受け付ける処理、ステップ１０８は機器登録許可操作がなされた場合に機器登録許可信号を送信する処理である。機器登録許可操作がなされなければ、ステップ１０８は実行されずにステップ１０９に分岐する。
【００５２】
ステップ１０９は、ステップ１０１からの計時によって所定時間が経過したか否かを判断する処理である。所定時間が経過していなければステップ１０５に戻るが、所定時間が経過すれば、住戸機１１での処理は終了される。
【００５３】
図５は、登録予約情報発行部、機器登録部及び無線認証部（無線認証装置）の基本動作の一例を示すフローチャートである。
【００５４】
ここにステップ２００は、住戸機１１からの機器登録許可信号を受信する処理、ステップ２０１は機器登録許可信号を受信して登録予約情報を発行する処理である。機器登録許可信号を受信していなければ、ステップ２０１は実行されずにステップ２０２に分岐する。なおステップ２００、２０１は登録予約情報発行部４ｂによって実行されるステップであり、ここで発行された登録予約情報が共同玄関機１２に表示される。
【００５５】
ステップ２０２は、スマートフォン３からの登録要求信号を受信する処理、ステップ２０３はスマートフォン３の識別情報を登録する処理である。登録要求信号を受信していなければ、ステップ２０３は実行されずにステップ２０４に分岐する。なおステップ２０２、２０３は機器登録部４ｃによって実行されるステップである。
【００５６】
ステップ２０４は、スマートフォン３からの識別情報を受信する処理、ステップ２０５は受信した識別情報と、機器登録部４ｃに登録されている識別情報とを対照する処理である。ステップ２０６は、両者の識別情報が一致するか否かによって分岐を行う処理、ステップ２０７は両者の識別情報が一致している場合に、解錠信号をシステム制御装置１３に送信する処理である。ステップ２０４−２０７は無線認証部４ｄによって実行される処理である。なおステップ２０４でスマートフォン３の識別情報を受信していなければ、ステップ２０５−２０７は実行されず、ステップ２０６で識別情報が一致していなければステップ２０７の処理は実行されない。
【符号の説明】
【００５７】
２        オートロック扉
３        スマートフォン
４        無線認証装置
４ａ      アンテナ装置
４ｂ      登録予約情報発行部
４ｃ      機器登録部
４ｄ      無線認証部
１０      インターホン装置
１１      住戸機
１２      共同玄関機
【図１】
2015074938.tif 000003
【図２】
2015074938.tif 000004
【図３】
2015074938.tif 000005
【図４】
2015074938.tif 000006
【図５】
2015074938.tif 000007